(57)【要約】【課題】リボン生地のような柔らかい素材だけで本のしおりとなる部位と飾りとなる部位が一体的に構成され、ユーザ自らが素材のシートから切り離して使用でき、本のしおり、被服や所持品のアクセサリとして用いることができるしおり付リボンを提供する。【解決手段】帯状のしおり部と、動植物もしくはアクセサリのモチーフを施した装飾部を備え、しおり部と装飾部がリボン生地シートのベース材から同時に型抜きにより一体成型されている。また、ベース材からユーザが自ら切り離して使用できるようにベース材と複数個所で接合されている。ベース材からの型抜きはレーザカットにより行われ、ベース材と接合されている複数の箇所はレーザカットされていない部位である。装飾部は、エンボス加工によりベース材の表面に浮き出し模様を形成している。【選択図】図１
0003170252.tif 000002
【実用新案登録請求の範囲】
【請求項１】
帯状のしおり部と、
動植物もしくはアクセサリのモチーフを施した装飾部と、
を備え、
前記しおり部と装飾部が、リボン生地シートのベース材から同時に型抜きにより一体成型され、
前記ベース材からユーザが自ら切り離して使用できるように、前記ベース材と複数個所で接合されていることを特徴とするしおり付リボン。
【請求項２】
前記型抜きはレーザカットにより行われ、前記接合されている箇所はレーザカットされていない部位であることを特徴とする請求項１に記載のしおり付リボン。
【請求項３】
前記装飾部は、エンボス加工により、前記ベース材の表面に浮き出し模様を形成させたものであることを特徴とする請求項１又は２に記載のしおり付リボン。
【考案の詳細な説明】
【技術分野】
【０００１】
本考案は、本のしおり、被服や所持品のアクセサリとして用いることができるリボンに関するものである。
【背景技術】
【０００２】
従来、本のページ面等にはさんでしるしとすることができるリボン付きしおりが知られている（例えば、特許文献１を参照。）。これは、プラスチックや紙の台板とリボンの上端を接着したもので、台板の裏面に本の表紙等に接着できる貼着材とその表面に剥離台紙を設けたものである。
また、ノートブックのクロス帯と見出し用シールとの間にしおり用としてのリボンの基端を挟持固着されるものが知られている（例えば、特許文献２を参照。）。
また、市場で販売されているもので、リボンをしおりに用いるものとしては、しおりとして使用するリボンの端に飾りを別途取り付けたものが見られる。
【先行技術文献】
【特許文献】
【０００３】
【特許文献１】特開２００３−２５１９６１号公報
【特許文献２】実開平０５−０３５３４８号公報
【考案の概要】
【考案が解決しようとする課題】
【０００４】
現状、本のしおりとしてリボン生地を用いるものは、上述したように、リボン生地の端に台板を取り付けたものや、飾りを別途取り付けたものが存在するものの、リボン生地だけで本のしおりとなる部位と飾りとなる部位が一体的に構成されているリボンは見当たらない。
また、プラモデルの部品や切り抜き絵本のように、リボン生地だけで本のしおりとなる部位と飾りとなる部位が一体的に構成されているリボンをリボン生地シートから、ユーザ自らが切り離して使用できるコンセプトの商品は見当たらない。
【０００５】
上記状況に鑑みて、本考案は、リボン生地のような柔らかい素材だけで本のしおりとなる部位と飾りとなる部位が一体的に構成され、ユーザ自らが素材のシートから切り離して使用でき、本のしおり、被服や所持品のアクセサリとして用いることができるしおり付リボンを提供することを目的とする。
【課題を解決するための手段】
【０００６】
上記目的を達成すべく、本考案のしおり付リボンは、帯状のしおり部と、動植物もしくはアクセサリのモチーフを施した装飾部と、を備え、しおり部と装飾部が、リボン生地シートのベース材から同時に型抜きにより一体成型され、ベース材からユーザが自ら切り離して使用できるように、ベース材と複数個所で接合されているものである。
かかる構成のしおり付リボンによれば、リボン生地のような柔らかい素材だけで本のしおりとなる部位と飾りとなる部位が一体的に構成され、ユーザ自らが素材のシートから切り離して使用でき、本のしおり、被服や所持品のアクセサリとして用いることができる。
なお、リボン生地シート以外に、柔軟性のある樹脂シートも用いてもよい。
【０００７】
ここで、上記のベース材からの型抜きはレーザカットにより行われ、ベース材と接合されている複数の箇所はレーザカットされていない部位である。ユーザ自らが素材のシートから切り離して使用できることにするため、完全に型抜きせずに、ベース材のシートと何か所か接合した状態の構成にする。これにより、プラモデルの部品や切り抜き絵本のように、リボン生地だけで本のしおりとなる部位と飾りとなる部位が一体的に構成されているリボンをリボン生地シートから、ユーザ自らが切り離して使用できるコンセプトの商品が容易に構築できる。
【０００８】
また、上記の装飾部は、エンボス加工によりベース材の表面に浮き出し模様を形成させたものである。エンボス加工は、模様や図柄を表面に彫っているエンボスロールを、布などに押しつけながら転がして浮き出し模様をつける加工方法である。これにより、リボン生地のような柔らかい素材に、模様や図柄をロールで型押しして、リボン生地から装飾部の模様や図柄を立体的に浮き上がらせる。
【考案の効果】
【０００９】
本考案によれば、リボン生地のような柔らかい素材だけで本のしおりとなる部位と飾りとなる部位が一体的に構成され、ユーザ自らが素材のシートから切り離して使用でき、本のしおり、被服や所持品のアクセサリとして用いることができるといった効果を有する。
【図面の簡単な説明】
【００１０】
【図１】しおり付リボンの構成図
【図２】本のページ面にしおり付リボンを挟んだイメージ図
【図３】本棚に並ぶ本にしおり付リボンを挟んでいるイメージ図
【図４】ポーチバックのファスナーにしおり付リボンを取り付けたイメージ図
【図５】ズボンのポケットのファスナーにしおり付リボンを取り付けたイメージ図
【図６】しおり付リボンが設けられたリボン生地シートの一実施形態１
【図７】しおり付リボンが設けられたリボン生地シートの一実施形態２
【図８】しおり付リボンが設けられたリボン生地シートの一実施形態３
【考案を実施するための最良の形態】
【００１１】
以下、本考案の実施形態について、図面を参照しながら詳細に説明していく。なお、本考案の範囲は、以下の実施例や図示例に限定されるものではなく、幾多の変更及び変形が可能である。
【実施例１】
【００１２】
図１は、しおり付リボンの構成図を示している。しおり付リボン１は、帯状のしおり部２と、動植物もしくはアクセサリのモチーフを施した装飾部３から構成される。しおり部２と装飾部３は、リボン生地シートのベース材から同時に型抜きにより一体成型される。リボン生地シートからの型抜きはレーザカットにより行われる。しおり付リボン１の全輪郭をレーザカットにより型抜きせず、複数の箇所はレーザカットしていない。レーザカットしていない部位は、リボン生地シートと接合されたままになっている。また、装飾部３の模様や図柄は、エンボス加工によりリボン生地シートの表面に浮き出し形成させている。
ユーザは、リボン生地シートから切り離してしおり付リボンを使用する。なお、図１に示すしおり付リボンは、帯状のしおり部２と蝶々のモチーフの装飾部３を一体的に形成しており、特に装飾部３は多数の蝶々の図柄をつなぎ合わせた図柄となっている。
【００１３】
次に、しおり付リボンの使用例を説明する。図２は、本のページ面にしおり付リボン１を挟んだイメージを示している。帯状のしおり部（図示せず）が本５のページ面に挟まれており、蝶々のモチーフの装飾部が本５の背表紙の付近に露出している。装飾部は、素材がリボン生地であることから風などで揺らぐことになる。
【００１４】
また、図３は、本棚に並ぶ本にしおり付リボンを挟んでいるイメージを示している。装飾部１０は複数の蝶々がつなぎ合わされた図柄になっている。また装飾部１１は植物の葉が複数つなぎ合わされた図柄になっている。
また、図４は、ポーチバックのファスナーにしおり付リボンを取り付けたイメージを示している。ポーチバック６の開口部を塞ぐファスナー７のスライダー８の孔にしおり部２を通して、しおり付リボン１の葉の図柄の装飾部３をポーチバック６のアクセサリにしている。
また、図５は、ズボンのポケットのファスナーにしおり付リボンを取り付けたイメージを示している。ズボン２０のポケット２１に設けられたファスナー２２のスライダー８の孔にしおり部２を通して、しおり付リボン１の葉の図柄の装飾部３をズボン２０のアクセサリにしている。スライダー８の孔以外に、例えば、ベルトの通し孔にしおり付リボン１のしおり部２を通しても構わない。
【００１５】
図６〜図８は、しおり付リボンが設けられたリボン生地シートの実施形態を示している。図６〜図８は、リボン生地シート４に３つのしおり付リボンが設けられている。しおり部（２ａ〜２ｃ）と装飾部（３ａ〜３ｃ）がエンボス加工により形成され、輪郭をレーザカットで数カ所を接合したまま型抜きされている。図において、レーザカットされずに接合した箇所、すなわち、型抜きされていない部位を符号９で示している。
【００１６】
図６の装飾部（３ａ〜３ｃ）はそれぞれ大きさや形状が異なる葉をつなぎ合わせた図柄になっている。また、図７の装飾部（３ａ〜３ｃ）は、それぞれつるにぶら下がっている猿の図柄、複数の蝶々がつなぎ合わされた図柄、つるを嘴で突いている２羽の鳥の図柄になっている。また、図８の装飾部（３ａ〜３ｃ）はそれぞれ形状や構造が異なるアクセサリの図柄になっている。
【産業上の利用可能性】
【００１７】
本考案は、本のしおりや被服やバックにつけるアクセサリとして有用である。
【符号の説明】
【００１８】
１    しおり付リボン
２，２ａ〜２ｃ    しおり部
３，３ａ〜３ｃ，１０，１１    装飾部
４    リボン生地シート
５    本
６    ポーチバック
７，２２    ファスナー
８    スライダー
９    型抜きされていない部位
２０  ズボン
２１  ポケット
【図１】
0003170252.tif 000003
【図２】
0003170252.tif 000004
【図３】
0003170252.tif 000005
【図４】
0003170252.tif 000006
【図５】
0003170252.tif 000007
【図６】
0003170252.tif 000008
【図７】
0003170252.tif 000009
【図８】
0003170252.tif 000010